(57)【要約】【課題】円環状の第三中間素材２１をローリング加工により拡径して第四中間素材２２とする際に、破断面の溝底を起点とする微小なクラックの発生を防止して歩留りを向上させ、製造コストの低減を図る。【解決手段】円板状の第一中間素材１９の片面に揺動鍛造により円形凹部４５を形成した後、中央部をこの円形凹部４５と反対側から打ち抜いて、上記第三中間素材２１とする。打ち抜きに伴って内周面に生じる破断面が、軸方向中間部に位置する。この破断面は、上記ローリング加工の初期段階で押し潰されて平滑面となる。この為、上記第三中間素材２１の直径が拡がる段階でこの第三中間素材２１の内周面には、上記クラック発生の起点となる様な溝が存在しない状態となり、上記課題を解決できる。【選択図】図１
2010188414.tif 000002
【特許請求の範囲】
【請求項１】
円柱状の素材を据え込み加工により軸方向に押し潰して円板状の第一中間素材とした後、この第一中間素材の片面中央部を軸方向に押し潰すと共に軸方向片面外径寄り部分をこの押し潰し方向と逆方向に突出させる後方押し出し加工により、軸方向片面中央部に円形凹部を有する第二中間素材とし、続いて、この第二中間素材の軸方向片面の上記円形凹部よりも外径寄り部分をダイスにより抑え付けた状態で、軸方向他面側中央部に打ち抜きパンチを押し付ける事により、上記第二中間素材の中央部でこの円形凹部に対応する部分を打ち抜き除去して円環状の第三中間素材とし、次にこの第三中間素材をローリング加工により拡径して円環状の第四中間素材とし、更に、この第四中間素材に所定の仕上加工を施して金属製リング状部品とする金属製リング状部品の製造方法。
【請求項２】
第二中間素材の軸方向片面外径寄り部分に加えて、外周面、円形凹部の内周面、及び軸方向他面外径寄り部分も抑え付ける事により、上記第二中間素材を圧縮状態とした状態で、この第二中間素材にパンチを押し付ける、請求項１に記載した金属製リング状部品の製造方法。
【請求項３】
第一中間素材を第二中間素材とする後方押し出し加工を、これら両中間素材の外周面及び軸方向他面を抑えた状態でこれら両中間素材の軸方向片面に、これら両中間素材の中心軸に対し傾斜した中心軸を有し、加工面のうちで上記第一中間素材に当接する部分の方向がこれら両中間素材の中心軸に対し直角方向であるロールを押し付ける揺動鍛造により行い、上記第二中間素材の軸方向片面の外径寄り部分及び軸方向他面全体を、この第二中間素材の中心軸に対し直角方向の平坦面とする、請求項２に記載した金属製リング状部品の製造方法。
【請求項４】
素材を軸方向に押し潰して円板状の第一中間素材とする加工を、この第一中間素材の外周面を規制するダイス内に上記素材を収めた状態でこの素材の軸方向片面に、これら素材乃至第一中間素材の中心軸に対し傾斜した中心軸を有し、加工面のうちでこれら素材乃至第一中間素材に当接する部分の方向がこれら素材乃至第一中間素材の中心軸に対し直角方向であるロールを押し付ける揺動鍛造により行う、請求項１〜３のうちの何れか１項に記載した金属製リング状部品の製造方法。
【請求項５】
ローリング加工に関して、使用する工具の回転速度とストローク速度とのうちの少なくとも一方の速度の調節をサーボ制御により行う、請求項１〜４のうちの何れか１項に記載した金属製リング状部品の製造方法。
【請求項６】
揺動鍛造に関して、使用する工具の回転速度とストローク速度とのうちの少なくとも一方の速度の調節をサーボ制御により行う、請求項３〜５のうちの何れか１項に記載した金属製リング状部品の製造方法。
【請求項７】
ラムのストロークをサーボ制御するプレス加工機を使用する事により、ストローク速度を調節する、請求項５〜６のうちの何れか１項に記載した金属製リング状部品の製造方法。
【請求項８】
プレス加工機の加工テーブルの上面に載置される下板と、この下板の上面に設けられた、被加工物を保持する為の保持部と、この下板の上方に設置され、上記プレス加工機のラムにより下方に押圧される上板と、この上板の下面に設けられて、この上板の下降に伴って上記被加工物を押圧する加工工具と、この上板の一部に支持固定された、この加工工具を回転駆動する為の電動モータとを備えた金属製部品の塑性加工装置。
【請求項９】
保持部が、被加工物の加工完了時点での外周面形状に一致する内周面形状を有するダイスであり、加工工具が、揺動鍛造により上記被加工物を塑性変形させる為のロールである、請求項８に記載した金属製部品の塑性加工装置。
【請求項１０】
保持部が、水平方向に配置されて円環状の被加工物を緩く外嵌した状態で回転するマンドレルであり、加工工具が、この被加工物をこのマンドレルに押圧しつつ回転し、ローリング加工によりこの被加工物の直径を拡げる成形ロールである、請求項８に記載した金属製部品の塑性加工装置。
【請求項１１】
電動モータが回転速度を調節可能なサーボモータである、請求項８〜１０のうちの何れか１項に記載した金属製部品の塑性加工装置。
【請求項１２】
上板を押圧するラムを備えたプレス加工機が、このラムのストロークをサーボ制御する機能を有するものである、請求項８〜１１のうちの何れか１項に記載した金属製部品の塑性加工装置。
【発明の詳細な説明】
【技術分野】
【０００１】
本発明は、ラジアル転がり軸受用の軌道輪等の金属製リング状部品の製造方法及びこの製造方法の実施に直接使用する製造装置の改良に関する。具体的には、上述の様な金属製リング状部品を低コストで造れる製造方法を改良して、製造過程で割れ等の損傷が発生する事を防止して歩留りを向上させ、上記金属製リング状部品の製造コストをより低減する事を意図したものである。
【背景技術】
【０００２】
例えば圧延機等の各種産業機械の回転支持部に組み込むラジアル転がり軸受を構成する軌道輪（外輪、内輪）の如き金属製リング状部品を低コストで得る為に、この金属製リング状部品を、図１３に示す様な製造方法により造る事が考えられる。
この製造方法では、先ず、長尺な素材を所定長さに切断する事により、図１３の（Ａ）に示す様な円柱状の素材１を得る。次いで、この素材１を軸方向に押し潰して、図１３の（Ｂ）に示す様な円板状の第一中間素材２とする。次いで、この第一中間素材２の片面中央部を、プレス加工により打ち抜き除去して、図１３の（Ｃ）に示す様な、円環状の第二中間素材３を得る。次に、この第二中間素材３をローリング加工により拡径して、図１３の（Ｄ）に示す様な、円環状の第三中間素材４とする。更に、この第三中間素材４に、軌道面を形成する為の仕上ローリング加工、軌道面を硬化する為の熱処理加工、軌道面の表面粗さを向上させる為の研削加工等の、造るべき金属製リング状部品に応じて異なる、所定の仕上加工を施して、上記軌道輪等の金属製リング状部品とする。
【０００３】
但し、上述の様な工程で、特に大径（例えば外径が２００mm以上）の金属製リング状部品を造る場合に、図１３の（Ｂ）に示した第一中間素材２を、図１３の（Ｃ）に示した第二中間素材３とする過程で、中間素材の内径側に微小な亀裂が発生し、当該中間素材を不良品として廃棄しなければならなくなる可能性がある事が、本発明者等の研究により分かった。この点に就いて、図１３に図１４〜１７を加えて説明する。
【０００４】
図１３の（Ｂ）→（Ｃ）に示す様に、第一中間素材２の中央部を打ち抜いて第二中間素材３とする作業は、図１４の（Ａ）→（Ｂ）→（Ｃ）に示す様に、上記第一中間素材２の下面外径寄り部分をダイス５により抑えた状態で、この第一中間素材２の上面中央部にパンチ６を押し付ける事により行う。この打ち抜き作業の過程では、図１４の（Ａ）→（Ｂ）に示す様に、上記パンチ６の押し込みに伴って、上記第一中間素材２の上面のうちでこのパンチ６の外周縁に当接している部分、及び、この第一中間素材２の下面のうちで上記ダイス５の内周縁に当接している部分から、この第一中間素材２の厚さ方向中央部に向けてクラック７ａ、７ｂが生じる（走る）。そして、これら両クラック７ａ、７ｂの先端同士が連続した瞬間に、上記第一中間素材２の中央部が外径寄り部分から分離され、この中央部がスクラップ８として排出され、この外径寄り部分が上記第二中間素材３となる。
【０００５】
この様にして得られる上記第二中間素材３の中心孔１３の内周面には、図１５に示す様に、上記パンチ６の押し込み側である上側から順番に、ダレ９と、剪断面１０と、破断面１１と、カエリ１２とが存在する。このうちの破断面１１は、上記図１４に示したクラック７ａ、７ｂにより形成された面である。この為、この破断面１１の表面は、図１６の（Ａ）に示す様に表面粗さが大きい、断面形状が鋸歯状の粗面である。図１３の（Ｂ）→（Ｃ）及び図１４に示す様な方法で円環状の第二中間素材３を造ると、上述の様な破断面１１が、この第二中間素材３の中心孔１３の開口端部寄り部分に存在する状態となる。
【０００６】
特に、例えば外径が２００mm以上である、大径のリング状部品を製造する場合等に、上述の様な第二中間素材３を、図１７に示す様な、冷間ローリング加工装置１４により拡径すると、上記破断面１１部分から、図１６の（Ｂ）に示す様に、微小な亀裂１７、１７が発生し易い。先ず、冷間ローリング加工は、上記第二中間素材３を、上記冷間ローリング加工装置１４を構成する、回転自在に支持されたマンドレル１５に外嵌し、この第二中間素材３の外周面に成形ロール１６を押し付けつつ、この成形ロール１６を回転駆動する事により行う。この様な冷間ローリング加工を行う際、上記破断面１１の一部で上記中心孔１３の開口端部寄り部分に存在する部分は、上記マンドレル１５による圧接が十分に行われず、この部分の破断面１１は、このマンドレル１５により十分に押し潰される事なく（圧縮方向の荷重を受けて平滑面とされる事なく）他の部分の拡径に伴って大幅に拡径される。この結果、図１６の（Ｂ）に示す様に、上記破断面１１の一部で上記中心孔１３の開口端部寄り部分から、この破断面１１の溝底部分を起点とする、微小な亀裂１７、１７が発生するものと考えられる。
【発明の概要】
【発明が解決しようとする課題】
【０００７】
本発明は、特に大径（例えば外径が２００mm以上）の金属製リング状部品を造る場合に、上述の様な原因によると考えられる微小なクラックの発生を防止して歩留りを向上させ、金属製リング状部品の製造コストをより低減すべく発明したものである。
【課題を解決するための手段】
【０００８】
本発明の金属製リング状部品の製造方法及び金属製部品の塑性加工装置のうち、金属製リング状部品の製造方法は、先ず、円柱状の素材を据え込み加工により軸方向に押し潰して円板状の第一中間素材とする。
その後、上記第一中間素材の片面中央部を軸方向に押し潰すと共に軸方向片面外径寄り部分をこの押し潰し方向と逆方向に突出させる後方押し出し加工により、軸方向片面中央部に円形凹部を有する第二中間素材とする。
続いて、この第二中間素材の軸方向片面の上記円形凹部よりも外径寄り部分をダイスにより抑え付けた状態で、軸方向他面側中央部に打ち抜きパンチを押し付ける事により、上記第二中間素材の中央部でこの円形凹部に対応する部分を打ち抜き除去して、円環状の第三中間素材とする。
次に、この第三中間素材をローリング加工により拡径して、円環状の第四中間素材とする。
更に、この第四中間素材に所定の仕上加工を施して、金属製リング状部品とする。
【０００９】
この様な本発明の金属製リング状部品の製造方法を実施する場合に好ましくは、請求項２に記載した発明の様に、上記第二中間素材の軸方向片面外径寄り部分に加えて、外周面、上記円形凹部の内周面、及び軸方向他面外径寄り部分も抑え付ける事により、上記第二中間素材を圧縮状態（静水圧状態）とする。そして、この状態で、この第二中間素材にパンチを押し付ける。
この様な請求項２に記載した金属製リング状部品の製造方法を実施する場合に、より好ましくは、請求項３に記載した発明の様に、上記第一中間素材を上記第二中間素材とする後方押し出し加工を、揺動鍛造により行う。この揺動鍛造は、これら両中間素材の外周面及び軸方向他面を抑えた状態でこれら両中間素材の軸方向片面に、これら両中間素材の中心軸に対し傾斜した中心軸を有し、加工面のうちで上記第一中間素材に当接する部分の方向がこれら両中間素材の中心軸に対し直角方向である、ロールを押し付ける事により行う。そして、上記第二中間素材の軸方向片面の外径寄り部分及び軸方向他面全体を、この第二中間素材の中心軸に対し直角方向の平坦面とする。
【００１０】
又、上述の様な本発明の金属製リング状部品の製造方法を実施する場合に好ましくは、請求項４に記載した発明の様に、前記素材を軸方向に押し潰して円板状の前記第一中間素材とする加工に就いても、揺動鍛造により行う。この揺動鍛造は、この第一中間素材の外周面を規制するダイス内に上記素材を収めた状態でこの素材の軸方向片面に、これら素材乃至第一中間素材の中心軸に対し傾斜した中心軸を有し、加工面のうちでこれら素材乃至第一中間素材に当接する部分の方向がこれら素材乃至第一中間素材の中心軸に対し直角方向である、ロールを押し付ける事により行う。
更に好ましくは、請求項５〜７に記載した発明の様に、ローリング加工或いは揺動鍛造に関して、使用する工具の回転速度とストローク速度とのうちの少なくとも一方の速度の調節をサーボ制御により行う。このうちのストローク速度に関しては、ラムのストロークをサーボ制御するプレス加工機を使用する事により調節する。
【００１１】
一方、本発明の金属製部品の塑性加工装置（ダイセット）は、下板と、保持部と、上板と、加工工具と、電動モータとを備える。
このうちの下板は、プレス加工機の加工テーブルの上面に載置される。
又、上記保持部は、被加工物を保持する為のもので、上記下板の上面に設けられる。
又、上記上板は、この下板の上方で上記プレス加工機のラムの下面に設置され、上記プレス加工機のラムにより下方に押圧される。
又、上記加工工具は、上記上板の下面に設けられて、この上板の下降に伴って上記被加工物を押圧する。
更に、上記電動モータは、上記加工工具を回転駆動する為のもので、上記上板の一部に支持固定されている。
【００１２】
上述の様な本発明の金属製部品の塑性加工装置を、上述した本発明の金属製リング状部品の製造方法の実施に使用するのに、具体的には、例えば請求項９に記載した発明の様に、上記保持部を、上記被加工物の加工完了時点での外周面形状に一致する内周面形状を有するダイスとする。又、上記加工工具を、揺動鍛造により上記被加工物を塑性変形させる為のロールとする。
或は、請求項１０に記載した発明の様に、上記保持部を、水平方向に配置されて円環状の被加工物を緩く外嵌した状態で回転するマンドレルとする。又、上記加工工具を、この被加工物をこのマンドレルに押圧しつつ回転し、ローリング加工によりこの被加工物の直径を拡げる成形ロールとする。
又、好ましくは、請求項１１に記載した発明の様に、上記電動モータを、回転速度を調節可能なサーボモータとしたり、或いは、請求項１２に記載した発明の様に、上記上板を押圧するラムを備えたプレス加工機を、このラムのストロークをサーボ制御する機能を有するものとする。
【発明の効果】
【００１３】
前述の様な本発明の金属製リング状部品の製造方法によれば、例えば外径が２００mm以上である大径のラジアル転がり軸受を構成する軌道輪等の金属製リング状部品を低コストで造れる製造方法を実施する過程で、割れ等の損傷が発生する事を防止して歩留りを向上させ、上記金属製リング状部品の製造コストをより低減できる。
先ず、本発明の金属製リング状部品の製造方法の場合には、第二中間素材を円環状の第三中間素材とすべく、この第二中間素材の中央部を打ち抜き除去する事に伴ってこの第二中間素材の内周面に生じる破断面を、この第二中間素材の軸方向中間寄り部分に位置させられる。言い換えれば、この破断面が、この第二中間素材の内周面の開口端寄り部分に存在しない様にできる。従って、上記第三中間素材をローリング加工により拡径して第四中間素材とする過程で、マンドレルにより上記破断面を押し潰せる。即ち、この破断面が存在していた部分を、圧縮方向の力を加える事により平滑面にする事ができる。そして、上記第三中間素材の直径が拡がる際に、上記破断面の溝底部分を起点として微小な亀裂が発生する事を防止し、歩留りの向上を図れる。
【００１４】
又、請求項２に記載した発明の様に、第二中間素材を第三中間素材とする為の打ち抜き加工を、この第二中間素材を圧縮状態として行えば、上記破断面の面積（軸方向に関する幅寸法）を小さく抑えられる。そして、この破断面を起点とする、上記微小な亀裂の発生を、より十分に抑えられる。
この場合に、請求項３に記載した発明の様に、揺動鍛造により加工すれば、低荷重で加工を行う事ができ、又、必要箇所の面精度を、低コストで確保できる。
又、請求項４に記載した様に、素材を第一中間素材とする加工を揺動鍛造により行えば、設備コストを低く抑えられる、加工荷重が小さなプレス加工機を使用しても、この第一中間素材の形状精度を良好にできて、金属製リング状部品の低コスト化を図るのに有利になる。
【００１５】
更に、前述の様な本発明の金属製部品の塑性加工装置によれば、同じプレス加工機を使用して、互いに異なる寸法、形状を有する金属製部品、異なる工程に対応する中間素材の加工を行える。しかも、異種の金属製部品や中間素材の加工をする為の段取り変更を、プレス加工機の加工テーブルとラムとの間に上記金属製部品の塑性加工装置（ダイセット）を脱着する事により、容易且つ迅速に行える。この為、多品種少量生産品に関して、製造コストの上昇を抑えられる。
特に、請求項１１、１２に記載した発明の様に、電動モータをサーボモータとしたり、請求項１２に記載した発明の様に、プレス加工機をサーボ制御する機能を有するものとすれば、多品種少量生産に容易に対応でき、しかも、信頼性の高い加工を行える。
【図面の簡単な説明】
【００１６】
【図１】本発明の実施の形態の１例を、工程順に示す、素材乃至は第四中間素材の断面図。
【図２】素材を第一中間素材とする揺動鍛造の実施状態を、加工開始直後と加工終了直前との状態で示す断面図。
【図３】揺動鍛造に使用するダイセットを、加工開始前の状態（Ａ）と加工途中の状態（Ｂ）とで示す正面図。
【図４】素材を第一中間素材とする為の好ましくない加工方法の１例を示す断面図。
【図５】第一中間素材を第二中間素材とする揺動鍛造の実施状態を、加工開始直後と加工終了直前との状態で示す断面図。
【図６】第一中間素材を第二中間素材とする為の好ましくない加工方法の１例を示す断面図。
【図７】第二中間素材を第三中間素材とする打ち抜き加工の実施状態を、工程順に示す断面図。
【図８】打ち抜き加工に伴って第二中間素材の中央部が打ち抜かれる状態を模式的に示す断面図。
【図９】得られた第三中間素材の内周面の性状を説明する為の模式図。
【図１０】冷間ローリング加工に使用するダイセットを、加工開始前の状態で示す、正面図（Ａ）及び側面図（Ｂ）。
【図１１】同じく加工途中の状態で示す、正面図（Ａ）及び側面図（Ｂ）。
【図１２】同じく加工終了後に第四中間素材を取り出す状態で示す、正面図（Ａ）及び側面図（Ｂ）。
【図１３】先に考えた金属製リング状部品の製造方法を、工程順に示す、素材乃至は第四中間素材の断面図。
【図１４】打ち抜き加工に伴って第一中間素材の中央部が打ち抜かれる状態を模式的に示す断面図。
【図１５】得られた第二中間素材の内周面の性状を説明する為の模式図。
【図１６】第二中間素材の内周面を単に拡大して示す（Ａ）とローリング加工に伴って亀裂が発生する状態で示す（Ｂ）との模式図。
【図１７】冷間ローリング加工の実施状況を示す略斜視図。
【発明を実施するための形態】
【実施例１】
【００１７】
図１〜１２により、本件各発明の実施例に就いて説明する。本実施例では、図１の（Ａ）に示す様な素材１８を、同（Ｂ）に示す様な第一中間素材１９、同（Ｃ）に示す様な第二中間素材２０、同（Ｄ）に示す様な第三中間素材２１を経て、同（Ｅ）に示す様な第四中間素材２２とし、この第四中間素材２２に所定の仕上加工を施して、ラジアル軸受用軌道輪等の金属製リング状部品とする。尚、上記素材１８を上記第四中間素材とするまでの全工程は、冷間加工により行う。本実施例に於けるこれら素材１８乃至第四中間素材２２のうち、素材１８及び第一中間素材１９は、前述の図１３に示した先に考えた製造方法に於ける素材１及び第一中間素材２に対応する。又、本実施例に於ける第三中間素材２１及び第四中間素材２２は、それぞれ先に考えた製造方法に於ける第二中間素材３及び第三中間素材４に対応する。本実施例の場合には、先に考えた製造方法では造らない第二中間素材２０を造り、この第二中間素材２０に関する加工方向及び加工方法を工夫する事により、例えば完成状態での外径が２００mmを越える様な大径の製品を造る場合でも、上記第二中間素材２０の内周面の開口端部寄り部分に破断面が存在しない様にしている。以下、本実施例を、加工工程順に説明する。
【００１８】
先ず、長尺な丸棒を、プレス、鋸切断、レーザ切断等、適宜の方法により所望長さに切断し、図１の（Ａ）に示した素材（ビレット）１８を得る。
次いで、この素材１８に据え込み加工を施して、図１の（Ｂ）に示した第一中間素材１９とする。この据え込み加工は、揺動鍛造により行う。一般的な据え込み鍛造ではなく揺動鍛造により行う理由は、低い成形荷重で、外径を精度良く仕上げ、且つ、外周面の真円度並びに軸方向両端面の平行度、直角度の良好な円盤形状を得る為である。
【００１９】
上記揺動鍛造では、図２に示す様に、先ず、上記素材１８をダイスユニット２３の中央部上面に供給する。このダイスユニット２３は、固定板２４の上方にフローティングダイス２５を、ばね２６、２６により昇降可能に設置している。又、上記固定板２４の上面中央部に載置したアンカブロック２７を、上記フローティングダイス２５を構成する浮動板２８の中心孔２９に、上下方向（軸方向）の相対変位を可能に、且つ隙間なく内嵌している。更に、この浮動板２８の上面外径寄り部分に、同じく上記フローティングダイ２５を構成する円環状の周壁ブロック３０を、上記中心孔２９と同心に固定している。この周壁ブロック３０の内径は、この中心孔２９の内径よりも十分に大きく、得るべき上記第一中間素材１９の外径と等しい。又、上記アンカブロック２７の厚さと上記浮動板２８の厚さとは、互いに等しい。従って、このフローティングダイス２５が上記各ばね２６、２６の弾力に抗して下降し切った状態では、このフローティングダイス２５を構成する浮動板２８の上面と上記アンカブロック２７の上面とが、同一水平面上に位置する。
【００２０】
上記揺動鍛造の開始時には、上記フローティングダイス２５を上昇させ切った状態で上記素材１８を供給し、この素材１８の下端部を上記浮動板２８の中心孔２９の上端部に、がたつきなく内嵌する。この状態で上記素材１８が上記ダイスユニット２３内の所定の位置に保持される。次いで、それ迄このダイスユニット２３の上方で停止していたロール３１を、自身の中心軸Ｘ31回りに自転させつつ、上記素材１８の中心軸Ｘ18回りに公転させながら下方に押圧する。上記ロール３１は、上記素材１８乃至第一中間素材１９の中心軸Ｘ18に対し傾斜した、上記中心軸Ｘ31を有する。又、加工面３２を円すい凸面状としている。そして、これら両中心軸Ｘ18、Ｘ31同士の交叉角度を、このうちの中心軸Ｘ31に対し直交する仮想平面に対する上記加工面３２の傾斜角度に一致させている。従って、上記加工面３２のうちで上記素材１８乃至第一中間素材１９に当接する部分の方向は、これら素材１８乃至第一中間素材１９の中心軸Ｘ18に対し直角方向である。
【００２１】
上述の様なロール３１を、自転及び公転させつつ、上記素材１８乃至第一中間素材１９を押圧しながら下降させる。そして、図２の（Ａ）に示す様に、上記加工面３２を上記素材１８の軸方向端面（上端面）に押し付けると、この素材１８が軸方向に押し潰されて、この素材１８の直径が次第に大きくなる。この様にこの素材１８の直径が大きくなる初期段階で、この素材１８の下部外周面が上記浮動板２８の上面を押圧し、この浮動板２８を含む上記フローティングダイス２５を、前記各ばね２６、２６の弾力に抗して下方に押圧する。これら各ばね２６、２６の弾力は弱い為、上記初期段階で、上記浮動板２８の下面が前記固定板２４の上面に当接し、上記フローティングダイス２５はそれ以上下方に変位する事はなくなる。
【００２２】
上記ロール３１の下降は、上記浮動板２８の下面と上記固定板２４の上面とが当接した後も継続するので、上記素材１８の軸方向寸法が更に縮まると共に、その直径が、前記周壁ブロック３０の内周面に当接する迄拡がり、円板状の上記第一中間素材１９となる。この過程で上記ロール３１は、図２の（Ｂ）に示す様に、外周を上記周壁ブロック３０の内周面で拘束し、自転運動だけでなく公転運動を安定して行わせる。この結果、上記加工面３２の形状を上記第一中間素材１９に、精度良く転写できる。この様にして上記素材１８を上記第一中間素材１９に加工した後、上記固定板２４の中央部に設けたノックアウトピン３３を上昇させて、前記アンカブロック２７を介して上記第一中間素材１９を上記周壁ブロック３０内で上昇させ、この第一中間素材１９をこの周壁ブロック３０から取り出す。取り出したこの第一中間素材１９は、次の工程に送る。
【００２３】
上記素材１８の上記第一中間素材１９への加工（据え込み）を、一般的な据え込み鍛造ではなく、上述した様な揺動鍛造により行う理由は、前述した様に、低い成形荷重で形状精度を良好にできる為である。一般的な据え込み鍛造で被加工物（素材１８乃至中間素材１９）の外径を拘束すると、成形荷重が大きくなるだけでなく、図４に示す様に、完全密閉拘束になってしまい、パンチ３４の下降に伴ってダイス３５を破壊する可能性がある。又、破壊に至らなくても、上記被加工物を十分に押圧できず、これらダイス３５と被加工物との間に空間が残る、所謂欠肉の発生により、この被加工物の形状精度を確保しにくくなる。これに対して、本実施例の様な揺動鍛造により、上記素材１８を上記第一中間素材１９に加工する場合には、被加工物の外径を拘束しても上端面に関しては、全域を同時には拘束しないので、加工の最終段階に至る迄、完全密閉状態にはならず、加工荷重の小さな、小型の設備であっても、上記被加工物を、欠肉を生じる事なく加工できる。この為、上記第一中間素材１９の外径を精度良く成形できる。更に本実施例の場合には、上記ロール３１の加工面３２を、上述の様な円すい状凸面としているので、上記第一中間素材１９の外面（表面）の形状精度を、外径面だけでなく軸方向端面に関しても十分良好にできる。
【００２４】
上述の様な揺動鍛造は、特許文献１〜３に記載されている様な、専用の揺動鍛造装置により行う事も可能である。但し、これら各特許文献に記載された専用の揺動鍛造装置は、少品種大量生産品の加工には適しているが、多品種少量生産品の加工には不向きである。本実施例は、大径のラジアル転がり軸受を構成する軌道輪の如く、多品種少量生産品の加工を意図しているので、揺動鍛造装置を構成する揺動鍛造の為のユニット（コア要素）を、図３に示す様なダイセットに組み込んでいる。
【００２５】
上記揺動鍛造の為のダイセットは、プレス加工機の加工テーブルの上面に位置決め支持する下板３６の上面に前記ダイスユニット２３を設置すると共に、この下板３６の上方に設置した上板３７の下方に、上記ロール３１に加えて、ヘッド３８、スピンドルユニット３９、減速機ユニット４０、駆動モータ４１を設置して成る。上記ダイスユニット２３は、被加工物（素材１８乃至第一中間素材１９）の形状及び大きさ等に応じて各種用意したものを、容易に交換できる様にしてある。又、上記ヘッド３８は、上記スピンドルユニット３９を構成する回転軸の下端部に、この回転軸と同軸に支持されており、上記被加工物の形状及び大きさ、ロール３１の中心軸Ｘ31（図２参照）の傾斜角度等に応じて各種用意したものを、容易に交換できる様にしてある。尚、上記プレス加工機の種類は特に問わない。汎用の各種プレス加工機（メカプレス、油圧プレス、何れも可）を使用できる。但し、本実施例の場合には、上記プレス加工機として、ラムのストローク速度（例えば等速）を簡単に設定でき、次述する駆動モータ４１との組み合せにより、上記ロール３１が１回転（公転）する間の潰し量の制御を精密に行える、サーボプレスを使用している。プレス加工機としてサーボプレスを使用する点は、後述する揺動鍛造やローリングの工程に就いても同様である。
【００２６】
又、上記スピンドルユニット３９を構成する固定ハウジングは、上記上板３７の下面に支持固定している。上記回転軸はその上端部乃至中間部をこの固定ハウジングに回転自在に支持すると共に、その先端部（下端部）に、上記ヘッド３８を支持固定している。又、上記回転軸の中間部下端寄り部分に、上記減速機ユニット４０の出力部となる減速大歯車を固定し、この減速機ユニット４０の入力部となる減速小歯車を、上記駆動モータ４１の出力軸に固定している。この構成により上記ヘッド３８を、この駆動モータ４１により、低速且つ大きなトルクで、回転駆動自在としている。上記ロール３１はこのヘッド３８に、前述の様な所定の傾斜角度を付した状態で、回転自在に支持している。以上の構成により、上記ロール３１を上記駆動モータ４１で、上記スピンドルユニット３９の中心軸回りに公転運動させられる様にしている。上記ロール３１の自転運動は、このロール３１の加工面３２を被加工物の上端面に押し付けつつ、このロール３１を公転させる事で、自動的に行われる。又、上記ロール３１の下方への押圧は、上記プレス加工機のラムを下降させる事により行われる。
【００２７】
上述の様に本例の場合には、上記下板３６の上面と上記上板３７の下面との間に、揺動鍛造に必要なコア要素である、上記ダイスユニット２３、上記ロール３１、上記ヘッド３８、上記スピンドルユニット３９、上記減速機ユニット４０、上記駆動モータ４１を設置してダイセットとしている。この為、異なる種類の被加工物の加工を行う為の段取り変更を、容易に、しかも、生産を殆ど止めずに行える。例えば、或る型番の金属製リング状部品を生産中、別途用意したダイセットに関するコア要素の組み立てを、別の場所で予め完了しておき、上記或る型番の生産が完了した後、それ迄生産に使用していたダイセットをプレス加工機から取り出し、上記別途用意したダイセットをこのプレス加工機に取り付ければ、直ちに生産を再開できる。そして、取り出したダイセットは、次の段取り変更までに、別の場所で、次に生産する別の型番の為のコア要素を組み付けておく。この様な段取り変更と生産の流れとを採用する事により、生産を殆ど止めずに、多品種の型番を生産できる。
【００２８】
プレス加工機にダイセットを短時間で取り付ける具体的手順としては、先ず、プレス加工機のテーブル上でダイセットを滑らせ、位置決めピン等の所定の位置決め手段を利用して、このダイセットを位置決めする。次に、このダイセットの下板をプレス加工機のテーブルにボルト固定すると共に、上板をラムにボルト固定してから、上記ダイセットを使用して生産を開始する。又、本例の場合、このダイセットは、ガイドポスト４２、４２とガイドプッシュ４３、４３とを、加工中の横揺れ防止用に備えているので、ダイスユニットやロール、ヘッド、スピンドル等の芯出しが容易で、コア要素の組み立てが容易になり、上記ダイセットの段取り変更を容易にできる。従って、型番によって、コア要素を種々変更する必要を生じ、中には、非常に複雑な構成でコア要素や部品を組み立てなければならない場合もあるが、上述の様な段取り変更と生産の流れによって、生産を殆ど止めずに、多品種少量生産を行える。
【００２９】
前記駆動モータ４１として好ましくは、サーボモータを使用する。この理由の第一は、揺動回転数を正確に規制する為である。即ち、揺動鍛造は１回転当たりの圧下量が、被加工物の変形に影響する。そして、この圧下量は、ストローク（ラムの降下量）と上記揺動回転数に関係するので、このうちの揺動回転数を制御（適正に規制）する為に、サーボモータを使用する。理由の第二は、揺動鍛造による成形中には上記ロール３１が発熱するので、成形中にも被加工物から熱を逃がす必要があり、揺動回転数を低回転数（１０Ｈｚ以下）にする必要がある為、低回転数でもトルクが安定するサーボモータを使用する。理由の第三は、上記ダイセットに組み込む必要上、設置スペースが限られる為、小型で必要なトルクを得られるサーボモータを使用する。
【００３０】
又、揺動鍛造の加工荷重は、前記一般的な冷間据え込み鍛造｛例えば２９．４ＭＮ（３０００tonf｝に比べて低く抑えられる。従って、前記プレス加工機の容量は、冷間加工を行う場合であっても、９８０ｋＮ（１００tonf）程度あれば、外径が２００〜４００mm程度の金属製リング状部品を造る場合であれば、前記素材１８を前記第一中間素材１９とする加工も、この第一中間素材１９を前記第二中間素材２０とする加工も、問題なく行える。但し、前記各構成要素２３、３１、３８、３９、４０、４１を上記下板３６の上面と上記上板３７の下面との間に組み込んで上記ダイセットとするには、これら両板３６、３７同士の間隔を確保する必要がある（ダイセットの全高が大きくなる）。そこで、加工テーブルの上面とラムの片面との間隔を確保する必要上、容量が１４７０〜５８８０ｋＮ（１５０〜６００tonf）程度のプレス加工機を使用する。
【００３１】
更に、揺動鍛造工程の間、上記ダイスユニット２３と上記ロール３１とが水平方向にぶれない（横揺れしない）様に、且つ、芯（中心軸）が安定し、平行度、直角度等に関する精度を安定させられる様に、前記下板３６の上面四隅部分から鉛直方向上方に植立した各ガイドポスト４２、４２と、前記上板３７の下面四隅部分から鉛直方向下方に垂下した各ガイドブッシュ４３、４３とを、少なくとも揺動鍛造の進行中、がたつきなく、且つ、鉛直方向の相対変位を自在に係合させている。この構成により、偏荷重を生じながらの成形である揺動鍛造に拘らず、上記ダイスユニット２３と上記ロール３１とが水平方向にぶれる事を防止すると共に芯を安定させて、上記素材１８から上記第一中間素材１９への加工を、上記ダイスユニット２３や上記ロール３１に無理な力を加えずに、且つ、精度良く行える様にしている。尚、上記各ガイドポスト４２、４２と上記各ガイドブッシュ４３、４３とは、前述した様に、芯出しを容易に行え、コア要素の組み立てを容易にできると言った機能も有する。
【００３２】
以上に述べた様な構成を有するダイセットにより、上記素材１８を上記第一中間素材１９に加工するには、この素材１８を図３の（Ａ）に示す様に上記ダイスセット２３にセットした後、上記駆動モータ４１により前記ロール３１を公転運動させながら、このロール３１を設けた前記上板３７を下方に押圧し、１公転当たりの潰し量を制御しながら、図３の（Ｂ）に示す状態にまで下降させる。この過程で、前記図２により説明した様に、上記素材１８を上記第一中間素材１９に加工する。
【００３３】
上述の様にして上記素材１８を上記第一中間素材１９に加工したならば、次いで、この第一中間素材１９を前記第二中間素材２０に、後方押し出し加工により加工する。尚、本実施例の場合、多品種少量生産を意図しているので、上記第一中間素材１９を必要数加工したならば、この第一中間素材１９の加工の為に上記プレス加工機に装着していた上記ダイセットをこのプレス加工機から取り外す。その後、同じプレス加工機に、上記第一中間素材１９を上記第二中間素材２０に加工する為の、別のダイセットを装着する。この別のダイセットは、以下に述べる図５に示す様に、ダイスユニット２３ａ及びロール３１ａの構造或いは形状が、上記素材１８を上記第一中間素材１９に加工する為のダイセットのダイスユニット２３及びロール３１（図２参照）と異なるが、基本的には類似した構造を有する。以下に、上記別のダイセットの構造及びこの別のダイセットにより上記第一中間素材１９を前記第二中間素材２０に加工する工程に就いて説明する。尚、少数（例えば１台）のプレス加工機しか使えない場合、上記の様に、１台のプレス加工機で複数工程を行う。これに対して、若し、より多くのプレス加工機を使える場合は、各工程にプレス加工機をそれぞれ用意して、製造ラインを構成しても良い。製造ラインを構成すれば、同一型番の生産性を高くできるので、特定の型番を大量生産する場合に有利になる。又、プレス加工機を多数使用できる場合は、製造するリング状部品の生産数に応じ、プレス加工機の構成を種々変えて生産する。
【００３４】
上記ダイスユニット２３ａは、固定板２４ａの上面に周壁ブロック３０ａを直接固定したもので、浮動板２８やばね２６、２６（図２参照）は設けられていない。又、上記ロール３１ａは、加工面３２ａを、径方向中間部に段差面４４を有する２段構造とし、中央部分と外径寄り部分とを、同じ方向に同じ角度だけ傾斜させている。各部分の傾斜方向及び傾斜角度、並びに、上記ロール３１ａ全体としての傾斜角度に関しては、前記図２に示したロール３１の場合と同じとしているが、必ずしも同じでなくても良い。尚、上記段差面４４の外径は、上記ロール３１ａの基端部に向かう程小さくしている。そして、このロール３１ａ全体を傾斜させて上記ダイセットに組み込んだ状態で、上記段差面４４のうちで上記第一中間素材１９乃至上記第二中間素材２０を加工する部分の方向が、これら両中間素材１９、２０の中心軸の方向に向く様にしている。
【００３５】
上記第一中間素材１９を上記第二中間素材２０に加工するには、先ず、図５の（Ａ）に示す様に、この第一中間素材１９を、上記周壁ブロック３０ａに内嵌する。この周壁ブロック３０ａの内径は、この第一中間素材１９の外径よりも僅かに（内嵌作業を容易に行える程度でできるだけ小さな値だけ）大きい。従って、上記周壁ブロック３０ａに上記第一中間素材１９を内嵌した状態で、この第一中間素材１９が上記固定板２４ａの上面の所定位置に載置された状態となる。そこで、上記ロール３１ａを回転させつつ下方に押圧し、このロール３１ａの加工面３２ａの中央部を、上記第一中間素材１９の上面中央部に押し付ける。この結果、図５の（Ｂ）に示す様に、この第一中間素材１９の中央部が円形に凹むと共に、この第一中間素材１９の外径寄り部分が上記段差面４４の周囲部分に入り込む、後方押し出し加工が行われる。同時に、上記第一中間素材１９の外周面が上記周壁ブロック３０ａの内周面に、強く押し付けられる。そして、上記中央部が或る程度深く凹んだ段階で、外径側部分が、上記加工面３２ａの外径寄り部分に突き当たり、この外径寄り部分で平滑化されて、上記第二中間素材２０の成形作業が完了する。
【００３６】
尚、この成形作業が完了した後、過度に長い時間、下死点近くで上記ロール３１ａを回転し続けると、得られた上記第二中間素材２０の外周縁にバリを生じる可能性がある。そこで、このバリを除去する手間を省略する為には、前記素材１８の容積のばらつきを考慮して、下死点近くで上記ロール３１ａを適切な成形時間（ロール回転数）だけ回転させてから、上記第二中間素材２０の加工作業を終了する。この様にして得られた、上面中央部に円形凹部４５を有する円板状の第二中間素材２０は、ノックアウトピン３３ａにより上記周壁ブロック３０ａから押し出されて前記ダイスユニット２３ａから取り出され、次の工程に送られる。
【００３７】
上述の様に、上記第一中間素材１９を後方押し出し加工により加工すると、得られる第二中間素材２０の形状精度、即ち、上記円形凹部４５の形状、外周面の形状、軸方向両端面の形状及び直角度、並びに、これら円形凹部４５と外周面との同軸度を良好にできる。尚、上記後方押し出し加工に関しても、図６に示す様な一般的な鍛造加工により行うと、成形荷重が高くなり過ぎるだけでなく、前述の図４で説明した場合と同様に、完全密閉拘束になって、パンチ３４ａの下降に伴ってダイス３５ａを破壊する可能性を生じる他、欠肉により、被加工物の形状精度を確保しにくくなる。これに対して本実施例の場合には、加工完了迄完全密閉拘束とはならないので、上記第一中間素材１９乃至は第二中間素材２０の表面が、上記ロール３１ａ及び上記周壁ブロック３０ａを含むダイスユニット２３ａに、欠肉を生じさせる様な隙間を生じる事なく当たり、被加工物の形状精度を確保できる。尚、上記第一中間素材１９を上記第二中間素材２０に加工する事で、破断面を小さくできて、微小割れによる不良をなくせると共に、材料の歩留り向上を図れる。
【００３８】
尚、上記後方押し出し加工、及び、その前工程の据え込み加工に於いて、工具の公転数、及び、ストローク速度の両方をサーボ制御する事により、１公転当たりの潰し量を制御する事が好ましい。従って、上記量加工に使用するプレス加工機として、通常はサーボプレスを使用する。但し、工具の公転数とストローク速度とのうちの一方のみをサーボ制御するのでも良い。即ち、例えば、メカプレスのラムのストローク速度をセンサで検知し、そのストローク速度に応じて、サーボモータにより回転数をコントロールし、１公転当たりの潰し量を制御する事もできる。
【００３９】
上述の様にして得られた、上記第二中間素材２０は、上記ダイスユニット２３ａから取り出した後、上下方向を反転させてから、プレス加工機の加工テーブルとラムとの間に設置した、図７に示す様なダイセットにセットする。そして、このダイセットにより、上記円形凹部４５の底部に対応する部分を打ち抜いて、円環状の第三中間素材２１とする。この打ち抜き工程に使用するダイセットは、上記第二中間素材２０を保持する為のダイスユニット２３ｂと、上記部分を打ち抜く為のカウンターパンチ４６及びパンチ４７と、上記第二中間素材２０を抑え付ける為のフローティングパンチ４８とから成る。
【００４０】
このうちのダイスユニット２３ｂは、上記第二中間素材２０を載置する為の固定板２８ａの上面に、この第二中間素材２０を内嵌（圧入）する為の周壁ブロック３０ｂを固定して成る。又、上記カウンターパンチ４６は、上記固定板２８ａの中心孔４９に、昇降可能に挿通して成るもので、上記円形凹部４５に隙間なく内嵌（軽めに圧入）できる外径寸法を有する。又、上記パンチ４７は上記カウンターパンチ４６の上方に、このカウンターパンチ４６と同心に配置されており、上記ラムにより下方に押圧される。更に、上記フローティングパンチ４８は、上記パンチ４７の周囲に、このパンチ４７に対する昇降を可能に外嵌されており、ばね等の下圧手段５０により、下方に向いた弾力を付与されている。
【００４１】
上述の様なダイセットを使用して、上記第二中間素材２０のうちで上記円形凹部４５の底部に対応する部分を打ち抜くには、先ず、図７の（Ａ）に示す様に、上記第二中間素材２０を上記円形凹部４５を下にして上記周壁ブロック３０ｂの上端部に内嵌（圧入）すると共に、この円形凹部４５に上記カウンターパンチ４６の上端部を内嵌（軽く圧入）する。この状態から、図７の（Ｂ）に示す様に、上記パンチ４７及び上記フローティングパンチ４８を下降させ、このパンチ４７の先端面（下端面）を上記第二中間素材２０の上面中央部に突き当てると共に、上記フローティングパンチ４８の下面によりこの第二中間素材２０の上面外径寄り部分を抑え付ける。この状態で、この第二中間素材２０が、表面全体を抑え付けられた、所謂静水圧状態となる。そこで、上記パンチ４７を更に下降させて、図７の（Ｃ）に示す様に、上記第二中間素材２０のうちで上記円形凹部４５の底部に対応する部分を打ち抜き、前記第三中間素材２１とする。本実施例の場合、上記第二中間素材２０の形状精度が良好であるから、前記固定板２８ａと、上記周壁ブロック３０ｂと、上記カウンターパンチ４６と、上記パンチ４７と、上記フローティングパンチ４８とにより上記第二中間素材２０を覆った状態で、この第二中間素材２０の表面と相手面との間の隙間を、実質的にゼロにできる。この為、上記静水圧状態を十分に実現できる。
【００４２】
上記打ち抜き加工に伴って｛図７の（Ｂ）→（Ｃ）、図８の（Ａ）→（Ｂ）→（Ｃ）の過程で｝上記第二中間素材２０の径方向中間部に、前記ダイスユニット２３ｂを構成する固定板２８ａの中心孔４９の上端開口部内周縁と、上記パンチ４７の先端面外周縁との間で、剪断方向の力が加わる。この力により、図８の（Ｂ）に示す様に、上記第二中間素材２０の厚さ方向中央部に向けてクラック７ａ、７ｂが生じる（走る）。そして、これら両クラック７ａ、７ｂの先端同士が連続した瞬間に、上記第二中間素材２０の中央部が外径寄り部分から分離され、この中央部がスクラップ８ａとして排出され、この外径寄り部分が上記第三中間素材２１となる。
【００４３】
この第三中間素材２１の内周面には、図９に示す様に、上記パンチ４７の押し込み側である上側から順番に、ダレ９ａと、剪断面１０ａと、破断面１１ａと、上記円形凹部４５の内周面であった、揺動鍛造により形成された平滑面５２とが存在する。本実施例の場合には、上記パンチ４７の押し込み方向と反対側に上記円形凹部４５を設けている分、上記第三中間素材２１全体として見た場合に、上記破断面１１ａが軸方向中間部に存在する状態となる。又、上記第二中間素材２０の中央部の打ち抜きを、静水圧状態下で行う事により、静水圧状態下で行わない場合に比べて、上記剪断面１０ａの幅寸法を広くし、その分、上記破断面１１ａの幅寸法を、より狭くできる。この様に、この破断面１１ａの幅を狭くし、且つ軸方向中間部に位置させる事により、次述する冷間ローリング加工時に、上記第三中間素材２１の破断面１１ａを押し潰し、微小な亀裂の発生に結び付く凹凸を押し潰し（平滑化し）て、大幅な拡径を行っても、亀裂損傷の発生を防止できる。
【００４４】
尚、上記破断面１１ａを完全に無くす事も可能であるが、その場合には、前述の図７の（Ｂ）→（Ｃ）の過程で前記フローティングパンチ４８を、非常に大きな力で下方に押圧する必要がある。この為には、打ち抜き加工の為の装置に、この大きな力を発生させる為の油圧装置を設置する必要があり、装置が複雑になってコストが嵩む。次述するローリング加工時に微小な亀裂が発生するのを防止する為には、上記破断面１１ａを上記第三中間素材２１の軸方向中間部に位置させさえすれば、多少の破断面１１ａが残っても問題ない。そこで本実施例の場合には、前記下圧手段５０を、ばねやガスクッションの如き、小型に構成できる簡便な構造を採用している。
【００４５】
尚、上記破断面１１ａの幅をより狭くする為に本実施例の場合には、上記パンチ４７と上記中心孔４９とのクリアランス｛（「中心孔４９の内径」−「パンチ４７の外径」）／２｝は、通常の打ち抜き加工の場合よりも小さくする。具体的には、上記クリアランスを、上記第二中間素材２０の中心部（円形凹部４５部分）の厚さの１〜１０％程度にする。又、上記円形凹部４５への上記カウンターパンチ４６の上端部の圧入代は、上記第二中間素材２０の外径の０．１〜０．５％程度とする。尚、この圧入代のノミナル値（ねらい圧入代）は、実際の生産前に行う試作等により、適宜決定する。又、打ち抜き加工に要する荷重は、据え込み鍛造、後方押し出し加工等の通常の鍛造の為の荷重に比べて低くて済む為、通常のプレス加工と同様に決定できる。
【００４６】
前述の様にして造った、上記第三中間素材２１は、前記ラムを上昇させる事により、上記パンチ４７及び上記フローティングパンチ４８を上昇させてから、複数本（例えば円周方向等間隔に配置された３本）のノックアウトピン５１、５１により前記周壁ブロック３０ｂの内径側から押し出し、次の工程に送る。
【００４７】
上記第三中間素材２１は、冷間ローリング加工を施して拡径し、図１の（Ｅ）に示す様な、この第三中間素材２１よりも大径の、第四中間素材２２とする。この第四中間素材２２には、その後に旋盤工程で軌道溝等を形成する事が一般的となるが、上記冷間ローリング加工でこの軌道溝を形成し、上記旋盤工程を省略する事もできる。何れにしても、金属製リング状部品がラジアル転がり軸受用の軌道輪である場合には、軌道溝を形成した後に、必要な熱処理や研削等の仕上加工を行って、ラジアル転がり軸受用の軌道輪として完成する。
【００４８】
この様な冷間ローリング加工は、特許文献４〜６に記載されている様な、専用のローリング加工装置により行う事も可能である。但し、これら各特許文献に記載された専用のローリング加工装置に関しても、少品種大量生産品の加工には適しているが、多品種少量生産品の加工には不向きである。又、大径の金属製リング状部品を造る場合には、大型の専用装置が必要になる。そこで本実施例の場合には、上述の様な冷間ローリング加工に就いても、図１０〜１２に示す様なダイセットを、プレス加工機の加工テーブルとラムとの間に設置して行う。このダイセットは、水平方向の軸回りの回転を可能として配置された、マンドレル１５ａと、同じく１対の第一サポートロール５３、５３と、同じく１対の第二サポートロール５４、５４と、同じく成形ロール１６ａと、減速機ユニット５５と、駆動モータ５６とを備える。このうちのマンドレル１５ａと、１対の第一サポートロール５３、５３と、１対の第二サポートロール５４、５４とは、プレス加工機の加工テーブルの上面に支持される下板５７の上方に設けられている。又、上記マンドレル１５ａは、図１２の（Ａ）に矢印で示す様に、軸方向の変位を可能として、このマンドレル１５ａの周囲への、被加工物である前記第三中間素材２１乃至前記第四中間素材２２の着脱を可能としている。このマンドレル１５ａの軸方向移動は、油圧シリンダ、エアシリンダ等の、直動式のアクチュエータ６１により行う。これに対して、上記成形ロール１６ａと、減速機ユニット５５と、駆動モータ５６とは、上記プレス加工機のラムの下面に支持される上板５８の下方に設けられている。
【００４９】
上記マンドレル１５ａの軸方向２箇所位置は、図１０〜１２の（Ａ）の左右方向、同じく（Ｂ）の表裏方向に離隔して設けられた上記両第一サポートロール５３、５３の上端部外周面に当接させている。又、これら両第一サポートロール５３、５３の下端部外周面は、図１０〜１２の（Ａ）の表裏方向、同じく（Ｂ）の左右方向に離隔して設けられた上記両第二サポートロール５４、５４の上端部外周面に当接させている。更に、これら各サポートロール５３、５４は、上記下板５７の上面に設けた下側支持フレーム５９に、回転自在に支持している。この構成により、上記冷間ローリング加工時に、上記マンドレル１５ａに加わるラジアル荷重を支承しつつ、このマンドレル１５ａの回転を許容する様にしている。従って、このマンドレル１５ａの回転中心軸と、上記各サポートロール５３、５４の回転中心軸とは、互いに平行である。
【００５０】
尚、上記両第一サポートロール５３、５３は上記下側支持フレーム５９に対して片持ち式の支持軸により支持している。従って、これら両第一サポートロール５３、５３同士の間には支持軸が存在せず、図１１に示す様に、直径の大きな第四中間素材２２の加工を行っても、これら支持軸と第四中間素材２２とが干渉する事はない。但し、最終的に加工荷重を支承する上記両第二サポートロール５４、５４は上記下側支持フレーム５９に対し、両持式に支持して、耐荷重性能を確保している。
【００５１】
又、上記成形ロール１６ａは、上記上板５８の下面に固定された上側支持フレーム６０に、回転可能に支持されている。又、上記成形ロール１６ａは、上記駆動モータ５６により、上記減速機ユニット５５を介して、回転駆動可能としている。又、上記成形ロール１６ａは、十分に太い支持軸により上記上側支持フレーム６０に対し、両持式に支持して、大きな加工荷重を支承可能としている。従って、この上側支持フレーム６０側には、サポートロールは設けられていない。上記駆動モータ５６に関しても、前述の揺動鍛造用のダイセットと同じ理由で、好ましくはサーボモータを使用する。
【００５２】
上述の様な冷間ローリング加工用のダイセットを使用して、前記第三中間素材２１を上記第四中間素材２２に加工するには、先ず、図１０に示す様に、上記マンドレル１５ａに上記第三中間素材２１を緩く外嵌する。この作業は、このマンドレル１５ａを図１０の（Ａ）の左方に退避させた状態で上記第三中間素材２１を所定位置に持ち込んだ後、上記マンドレル１５ａを図１０の（Ａ）の右方に前進させる事により行う。上記第三中間素材２１の持ち込みは、ロボットアームにより、或いは作業員の手で行う。この様にして上記第三中間素材２１をセットした状態では、この第三中間素材２１の下半部を、上記両第一サポートロール５３、５３の上端部同士の間に配置する。又、この第三中間素材２１の直上に、上記成形ロール１６ａを位置させる。
【００５３】
この状態から、この成形ロール１６ａを上記駆動モータ５６により、上記減速機ユニット５５を介して回転駆動しつつ、プレス加工機のラムを下降させる。そして、上記上板５８を介して上記成形ロール１６ａを下方に押圧し、この成形ロール１６ａの下端部外周面を、上記第三中間素材２１の上端部外周面に強く押し付ける。この結果、この第三中間素材２１が上記マンドレル１５ａの外周面と上記成形ロール１６ａの外周面との間で強く押圧されて、図１０に示した状態から図１１に示した状態に迄、その直径が次第に拡がり、図１の（Ｅ）に示す様な第四中間素材２２となる。この様に上記第三中間素材２１をこの第四中間素材２２とする過程で、この第三中間素材２１の内周面の軸方向中間部に存在する破断面１１ａで亀裂が発生する事はなく、上記マンドレル１５ａの外周面により十分に押し潰されて平滑面となる。即ち、上記第三中間素材２１の直径が拡がり始める際には、この第三中間素材２１の内周面に、前述の図１６により説明した様な、亀裂の発生の起点となる様な溝部が存在しない状態となり、上記第四中間素材１４を、歩留り良く加工できる。この様にして得られた第四中間素材２２は、図１２に示す様にマンドレル１５ａを退避させて取り出し、次の仕上げ工程に送る。この取り出し作業に関しても、ロボットアームにより、或いは作業員の手で行う。
【００５４】
尚、上記ローリング加工に於いては、リング状素材である、上記第三中間素材２１乃至上記第四中間素材２２の回転数、及び、上記成形ロール１６ａのストローク速度の両方をサーボ制御する事により、上記第三中間素材２１乃至上記第四中間素材２２の１回転当たりの潰し量を制御する事が好ましい。但し、これら第三中間素材２１乃至第四中間素材２２の回転数と上記成形ロール１６ａのストローク速度とのうちの一方のみサーボ制御する事でも良い。例えば、メカプレスのラムのストローク速度をセンサーで検知し、そのストローク速度に応じて、サーボモータにより回転数をコントロールし、１回転当たりの潰し量を制御しても良い。この様に、ストローク速度と回転数とが制御に関して重要なパラメータである点は、前述の揺動鍛造による、据え込み加工や後方押し出し加工の制御の場合と同様である。
【産業上の利用可能性】
【００５５】
本発明を実施する場合に使用する素材１８は、主に軸受鋼又は浸炭鋼であり、加工の為の潤滑は、ボンデ処理により行う。但し、この素材１８の切断面（軸方向両端面）の面積が大きい場合には、この素材１８を第一中間素材１９とする工程及びそれ以降の工程の潤滑を、油塗布により行う事もできる。
又、加工温度は全工程で冷間とする事が基本であるが、造るべき金属製リング状部品の直径が特に大きい場合には、温間（２００〜７００℃）で成形する事もできる。
又、上記素材１８を第一中間素材１９とする工程及びそれ以降の工程に使用するプレス加工機は、各工程共に、１回転当たりの圧下量が重要になるので、ロールの回転数に合わせてプレス加工機の下降速度を制御するべく、サーボプレスを使用する事が好ましい。但し、プレス機は、メカプレス、油圧プレス、トランスファープレスの何れに就いても使用可能である。
【符号の説明】
【００５６】
１    素材
２    第一中間素材
３    第二中間素材
４    第三中間素材
５    ダイス
６    パンチ
７ａ、７ｂ  クラック
８、８ａ  スクラップ
９、９ａ  ダレ
１０、１０ａ  剪断面
１１、１１ａ  破断面
１２、１２ａ  カエリ
１３    中心孔
１４    冷間ローリング加工装置
１５、１５ａ  マンドレル
１６、１６ａ  成形ロール
１７    亀裂
１８    素材
１９    第一中間素材
２０    第二中間素材
２１    第三中間素材
２２    第四中間素材
２３、２３ａ、２３ｂ  ダイスユニット
２４、２４ａ  固定板
２５    フローティングダイス
２６    ばね
２７    アンカブロック
２８、２８ａ  浮動板
２９    中心孔
３０、３０ａ、３０ｂ  周壁ブロック
３１、３１ａ  ロール
３２、３２ａ  加工面
３３、３３ａ  ノックアウトピン
３４、３４ａ  パンチ
３５、３５ａ  ダイス
３６    下板
３７    上板
３８    ヘッド
３９    スピンドルユニット
４０    減速機ユニット
４１    駆動モータ
４２    ガイドポスト
４３    ガイドブッシュ
４４    段差面
４５    円形凹部
４６    カウンターパンチ
４７    パンチ
４８    フローティングパンチ
４９    中心孔
５０    下圧手段
５１    ノックアウトピン
５２    平滑面
５３    第一サポートロール
５４    第二サポートロール
５５    減速機ユニット
５６    駆動モータ
５７    下板
５８    上板
５９    下側支持フレーム
６０    上側支持フレーム
６１    アクチュエータ
【先行技術文献】
【特許文献】
【００５７】
【特許文献１】特開平１−３１７６５０号公報
【特許文献２】特開平３−１１００３８号公報
【特許文献３】特開平８−４７７４１号公報
【特許文献４】特開平１０−５９１９号公報
【特許文献５】特開２０００−１１７３７９号公報
【特許文献６】特許第３６９２６３５号公報
【図１】
2010188414.tif 000003
【図２】
2010188414.tif 000004
【図３】
2010188414.tif 000005
【図４】
2010188414.tif 000006
【図５】
2010188414.tif 000007
【図６】
2010188414.tif 000008
【図７】
2010188414.tif 000009
【図８】
2010188414.tif 000010
【図９】
2010188414.tif 000011
【図１０】
2010188414.tif 000012
【図１１】
2010188414.tif 000013
【図１２】
2010188414.tif 000014
【図１３】
2010188414.tif 000015
【図１４】
2010188414.tif 000016
【図１５】
2010188414.tif 000017
【図１６】
2010188414.tif 000018
【図１７】
2010188414.tif 000019